(57)【要約】【課題】マルチキャスト信号の変調方式と符号化率とを適切に制御しながら、そのマルチキャスト信号の受信対象の端末装置によるフィードバックの信号量を低減すること。【解決手段】複数の端末装置に対して、マルチキャスト信号を送信することができる基地局装置は、その複数の端末装置のうち、基地局装置からの信号の無線品質に関する指標が所定値以上の端末装置に対して無線品質の測定に基づく報告を行わせないためのメッセージを送信し、複数の端末装置のうち指標が所定値を下回る端末装置から、報告を受信し、受信した報告に基づいて、マルチキャスト信号において使用する変調方式と符号化率との少なくともいずれかを制御する。【選択図】  図５
2018082264.tif 000002
【特許請求の範囲】
【請求項１】
複数の端末装置に対して、マルチキャスト信号を送信することができる基地局装置であって、
前記複数の端末装置のうち、前記基地局装置からの信号の無線品質に関する指標が所定値以上の端末装置に対して無線品質の測定に基づく報告を行わせないためのメッセージを送信する送信手段と、
前記複数の端末装置のうち前記指標が前記所定値を下回る端末装置から、前記報告を受信する受信手段と、
受信した前記報告に基づいて、前記マルチキャスト信号において使用する変調方式と符号化率との少なくともいずれかを制御する制御手段と、
を有することを特徴とする基地局装置。
【請求項２】
前記メッセージは前記所定値を示す情報を含み、
前記複数の端末装置は、それぞれ、測定した前記無線品質に関する前記指標が前記所定値を下回るか否かを判定して、当該指標が前記所定値を下回る場合に、前記報告を前記基地局装置に対して送信する、
ことを特徴とする請求項１に記載の基地局装置。
【請求項３】
前記複数の端末装置のそれぞれについて、前記指標を取得する取得手段と、
取得した前記指標が前記所定値以上であるか否かを判定する判定手段をさらに有し、
前記メッセージは、前記複数の端末装置のうち前記指標が前記所定値以上の端末装置に対して前記報告を停止させるための指示を含む、
ことを特徴とする請求項１に記載の基地局装置。
【請求項４】
前記送信手段は、さらに、前記報告を停止している端末装置における前記指標が前記所定値を下回った場合に前記報告を再開させるためのメッセージを送信する、
ことを特徴とする請求項３に記載の基地局装置。
【請求項５】
前記送信手段は、さらに、前記報告を停止している端末装置が前記マルチキャスト信号を正常に受信してから所定期間が経過した場合に、当該端末装置に対して、前記報告を行わせるためのメッセージを送信する、
ことを特徴とする請求項３又は４に記載の基地局装置。
【請求項６】
前記送信手段は、さらに、前記報告を停止している端末装置における前記指標の変化量が所定量を超えた場合に、前記端末装置に対して、前記報告を行わせるためのメッセージを送信する、
ことを特徴とする請求項３から５のいずれか１項に記載の基地局装置。
【請求項７】
基地局装置から複数の装置に向けて送信されたマルチキャスト信号を受信することができる、前記複数の装置に含まれた端末装置であって、
前記基地局装置から、前記複数の装置のうち当該基地局装置からの信号の無線品質に関する指標が所定値以上の装置に対して無線品質の測定に基づく報告を行わせないためのメッセージを受信する受信手段と、
前記メッセージに基づいて、前記指標が前記所定値以上である場合に前記報告を前記基地局装置へ送信せずに、前記指標が前記所定値を下回る場合に前記報告を前記基地局装置へ送信する送信手段と、
を有することを特徴とする端末装置。
【請求項８】
前記メッセージは前記所定値を示す情報を含み、
前記端末装置は、測定した前記無線品質に関する前記指標が前記所定値を下回るか否かを判定する判定手段をさらに有する、
ことを特徴とする請求項７に記載の端末装置。
【請求項９】
前記基地局装置へ、前記指標を示す情報を通知する通知手段をさらに有し、
前記メッセージは、前記指標が前記所定値以上の装置に対して前記報告を停止させるための第１の指示または前記指標が前記所定値を下回った装置に対して前記報告を再開させるための第２の指示を含み、
前記送信手段は、前記第１の指示を含んだメッセージを受信した場合に前記報告を停止し、前記報告を停止している間に前記第２の指示を含んだメッセージを受信した場合に前記報告を再開する、
ことを特徴とする請求項７に記載の端末装置。
【請求項１０】
前記受信手段は、さらに、前記マルチキャスト信号を正常に受信してから所定期間が経過したか否かの判定に用いる当該所定期間を示す情報を受信し、
前記送信手段は、前記報告を停止している間に、前記マルチキャスト信号を正常に受信してから前記所定期間が経過した場合に前記報告を行う、
ことを特徴とする請求項７から９のいずれか１項に記載の端末装置。
【請求項１１】
前記受信手段は、さらに、前記指標の変化量に関する所定量を示す情報を受信し、
前記送信手段は、前記報告を停止している間に、前記指標の変化量が前記所定量を超えた場合に前記報告を行う、
ことを特徴とする請求項７から１０のいずれか１項に記載の端末装置。
【請求項１２】
複数の端末装置に対して、マルチキャスト信号を送信することができる基地局装置の制御方法であって、
送信手段が、前記複数の端末装置のうち、前記基地局装置からの信号の無線品質に関する指標が所定値以上の端末装置に対して、無線品質の測定に基づく報告を行わせないためのメッセージを送信する送信工程と、
受信手段が、前記複数の端末装置のうち前記指標が前記所定値を下回る端末装置から、前記報告を受信する受信工程と、
制御手段が、受信した前記報告に基づいて、前記マルチキャスト信号において使用する変調方式と符号化率との少なくともいずれかを制御する制御工程と、
を有することを特徴とする制御方法。
【請求項１３】
基地局装置から複数の装置に向けて送信されたマルチキャスト信号を受信することができる、前記複数の装置に含まれた端末装置の制御方法であって、
受信手段が、前記基地局装置から、前記複数の装置のうち当該基地局装置からの信号の無線品質に関する指標が所定値以上の装置に対して無線品質の測定に基づく報告を行わせないためのメッセージを受信する受信工程と、
送信手段が、前記メッセージに基づいて、前記指標が前記所定値以上である場合に前記報告を前記基地局装置へ送信せずに、前記指標が前記所定値を下回る場合に前記報告を前記基地局装置へ送信する送信工程と、
を有することを特徴とする制御方法。
【請求項１４】
複数の端末装置に対して、マルチキャスト信号を送信することができる基地局装置に備えられたコンピュータに、
前記複数の端末装置のうち、前記基地局装置からの信号の無線品質に関する指標が所定値以上の端末装置に対して、無線品質の測定に基づく報告を行わせないためのメッセージを送信させ、
前記複数の端末装置のうち前記指標が前記所定値を下回る端末装置から、前記報告を受信させ、
受信した前記報告に基づいて、前記マルチキャスト信号において使用する変調方式と符号化率との少なくともいずれかを制御させる、
ためのプログラム。
【請求項１５】
基地局装置から複数の装置に向けて送信されたマルチキャスト信号を受信することができる、前記複数の装置に含まれた端末装置に備えられたコンピュータに、
前記基地局装置から、前記複数の装置のうち当該基地局装置からの信号の無線品質に関する指標が所定値以上の装置に対して無線品質の測定に基づく報告を行わせないためのメッセージを受信させ、
前記メッセージに基づいて、前記指標が前記所定値以上である場合に前記報告を前記基地局装置へ送信せずに、前記指標が前記所定値を下回る場合に前記報告を前記基地局装置へ送信させる、
ためのプログラム。
【発明の詳細な説明】
【技術分野】
【０００１】
本発明は無線品質の報告が行われる無線通信システムに関する。
【背景技術】
【０００２】
ＬＴＥ（ロングタームエボリューション）等のセルラ無線通信では、基地局装置は、１つの端末装置に宛てた個別の信号を送信するユニキャストの他に、複数の端末装置に同じ信号を一斉に送信するマルチキャストを実行することができる。ＬＴＥでは、このようなマルチキャストサービスであるＭＢＭＳ（Multimedia Broadcast Multicast Service）のために、ＭＢＳＦＮ（Multimedia Broadcast multicast service Single Frequency Network）及びＳＣ−ＰＴＭ（Single-Cell Point To Multipoint）を用いることが規定されている（非特許文献１参照）。ＭＢＳＦＮは、複数の基地局装置が、同一の周波数リソース（例えば全システム帯域）を用いて同一の信号を同期して送信する方式である。ＭＢＳＦＮでは、複数の基地局装置が同期して同じ周波数リソースを使用することとなるため、各基地局装置は自由にブロードキャスト用のリソースを設定することはできない。一方、ＳＣ−ＰＴＭでは、基地局装置は、自身が形成する１つのセル内において、そのセル内に在圏する１つ以上の端末装置に対して同一の情報を送信する方式である。ＳＣ−ＰＴＭでは、基地局装置は、他の基地局装置と同期して信号を送信する必要がないため、ブロードキャスト用のリソースを自由に設定することができる。また、ＳＣ−ＰＴＭでは、基地局装置は、１つ以上のグループにそれぞれに対して、それぞれ異なる変調方式と符号化率との組み合わせを用いてマルチキャスト信号を送信することができる。
【先行技術文献】
【非特許文献】
【０００３】
【非特許文献１】３ＧＰＰ  ＴＳ３６．３３１  Ｖ１３．３．０、２０１６年９月
【発明の概要】
【発明が解決しようとする課題】
【０００４】
ＳＣ−ＰＴＭでは、基地局装置は、各グループにおいて、グループ内の各端末装置がマルチキャストされた情報を正常に受信できるように、変調方式と符号化率との組み合わせを適切に選択することが重要となる。このような選択のため、端末装置は、基地局装置からの信号に関する無線品質を測定し、その測定に基づく報告を基地局装置へフィードバックする必要がある。しかしながら、グループ内の多数の端末装置からフィードバックが送信されると、そのフィードバックのために上りリンクの無線リソースが浪費され、場合によっては複数のフィードバック信号が互いに干渉してしまう場合がありえた。
【０００５】
本発明は上記課題に鑑みなされたものであり、マルチキャスト信号の変調方式と符号化率とを適切に制御可能で、かつ、そのマルチキャスト信号の受信対象の端末装置によるフィードバックの信号量を低減することを目的とする。
【課題を解決するための手段】
【０００６】
上記目的を達成するため、本発明の一態様に係る基地局装置は、複数の端末装置に対して、マルチキャスト信号を送信することができる基地局装置であって、前記複数の端末装置のうち、前記基地局装置からの信号の無線品質に関する指標が所定値以上の端末装置に対して無線品質の測定に基づく報告を行わせないためのメッセージを送信する送信手段と、前記複数の端末装置のうち前記指標が前記所定値を下回る端末装置から、前記報告を受信する受信手段と、受信した前記報告に基づいて、前記マルチキャスト信号において使用する変調方式と符号化率との少なくともいずれかを制御する制御手段と、を有する。
【０００７】
また、上記目的を達成するため、本発明の別の一態様に係る端末装置は、基地局装置から複数の装置に向けて送信されたマルチキャスト信号を受信することができる、前記複数の装置に含まれた端末装置であって、前記基地局装置から、前記複数の装置のうち当該基地局装置からの信号の無線品質に関する指標が所定値以上の装置に対して無線品質の測定に基づく報告を行わせないためのメッセージを受信する受信手段と、前記メッセージに基づいて、前記指標が前記所定値以上である場合に前記報告を前記基地局装置へ送信せずに、前記指標が前記所定値を下回る場合に前記報告を前記基地局装置へ送信する送信手段と、を有する。
【発明の効果】
【０００８】
本発明によれば、マルチキャスト信号の変調方式と符号化率とを適切に制御しながら、そのマルチキャスト信号の受信対象の端末装置によるフィードバックの信号量を低減することができる。
【図面の簡単な説明】
【０００９】
【図１】無線通信システムの構成例を示す図。
【図２】基地局装置及び端末装置のハードウェア構成例を示す図。
【図３】基地局装置の機能構成例を示すブロック図。
【図４】端末装置の機能構成例を示すブロック図。
【図５】基地局装置及び端末装置が実行する処理の流れの第１の例を示す図。
【図６】基地局装置及び端末装置が実行する処理の流れの第２の例を示す図。
【発明を実施するための形態】
【００１０】
以下、添付図面を参照して本発明の実施の形態を詳細に説明する。
【００１１】
（無線通信システム）
図１に、本実施形態に係る無線通信システムの構成例を示す。本無線通信システムは、例えば、ロングタームエボリューション（ＬＴＥ）の基地局装置及び複数の端末装置を含んで構成される。本無線通信システムでは、基地局装置は、ＳＣ−ＰＴＭ（Single-Cell Point To Multipoint）により、複数の端末装置からなるグループに対して同じ信号を一斉送信することができる。すなわち、基地局装置は、他の基地局装置の状況によらずに使用する周波数及び時間リソースを自律的に設定して、マルチキャスト信号を送信する。なお、図１の無線通信システムの構成は一例に過ぎず、基地局装置は複数存在してもよいし、端末装置の台数についても特に限定はしない。
【００１２】
基地局装置は、端末装置の複数のグループに対して、それぞれ異なるマルチキャスト信号を送信することができる。すなわち、基地局装置は、第１のグループに属する１つ以上の端末装置に対して第１のマルチキャスト信号を送信し、第２のグループに属する１つ以上の端末装置に対して第１のマルチキャスト信号と異なる第２のマルチキャスト信号を送信することができる。そして、基地局装置は、このような場合に、第１のマルチキャスト信号と第２のマルチキャスト信号とに対して、変調方式及び符号化率を用いることができる。なお、現状のＬＴＥ規格では、基地局装置は、端末装置に対して信号を送信する際に、その端末装置から周期的に送信されるＣＱＩ（Channel Quality Indicator）フィードバックに基づいて、信号送信に用いる変調方式及び符号化率の組み合わせを決定する。この手法に従ってマルチキャスト信号の変調方式及び符号化率の組み合わせを決定する場合、例えば、基地局装置は、各グループについて、属する端末装置のすべてから同様のＣＱＩフィードバックを受信する。そして、基地局装置は、例えば、そのＣＱＩフィードバックに基づいて、すべての端末装置がマルチキャスト信号を正常に受信できるように、最も低い無線品質に対応するＣＱＩの値に基づいて、変調方式及び符号化率を決定することができる。しかしながら、このような手法では、グループに属する全端末装置がＣＱＩフィードバックを上りリンクで送信することとなる。このとき、端末装置の数が多くなると、ＣＱＩフィードバックを送信する物理上りリンク制御チャネル（ＰＵＣＣＨ）が隣接セル間で互いに干渉し、ＰＵＣＣＨの性能が劣化してしまうという問題があった。また、ＣＱＩフィードバックに限らず、多数の端末装置から、基地局装置からの信号の測定に基づく報告が送信されると、それらの報告が互いに干渉し、また、干渉しない場合であっても多くの上りリンクの無線リソースを浪費してしまうという課題があった。
【００１３】
これに対して、本実施形態では、変調方式及び符号化率が、グループ内の複数の端末装置における無線品質のうち相対的に良好でない無線品質に基づいて決定されうることを想定して、相対的に良好な無線品質に関する報告が行われないように制御を行う。すなわち、本実施形態の基地局装置は、複数の端末装置を含んだ１つ以上のグループに対してマルチキャスト信号の送信を行う場合に、基地局装置からの信号の無線品質に関する指標が所定値以上の端末装置に対して、無線品質の測定に基づく報告を行わせない。ここで、指標は例えばＲＳＲＰ（参照信号受信電力）、ＲＳＲＱ（参照信号受信品質）、ＳＩＮＲ（信号対干渉及び雑音電力比）、又はＣＱＩであり、測定に基づく報告は、ＣＱＩフィードバックでありうるが、これら以外の指標及び報告の形態が用いられてもよい。例えば、指標は無線信号の品質のみに依存し、報告のための測定に関しては、端末装置の機能の影響が含まれていてもよい。なお、指標と報告との両方において、ＣＱＩ等の共通の情報が用いられてもよい。
【００１４】
具体的には、本実施形態の基地局装置は、上述の指標が所定値以上の端末装置に対して、無線品質の測定に基づく報告を行わせないためのメッセージを送信する。なお所定値は、グループが複数存在する場合に、それぞれ異なる値が設定されてもよいし、全グループ又は一部のグループについて同一値が設定されてもよい。そして、基地局装置は、指標が所定値を下回る端末装置のみから測定結果に関する報告を受信して、その報告に基づいて、マルチキャスト信号の送信に用いる変調方式と符号化率との少なくともいずれかを制御する。
【００１５】
このメッセージは、例えば、所定値を示す情報を含みうる。このメッセージはグループ内の全端末装置に対して一斉に送信されてもよいし、各端末装置に対して個別に送信されてもよい。この場合、端末装置は、例えばＲＳＲＰやＲＳＲＱを測定することにより基地局装置からの信号の無線品質に関する指標を特定し、その結果が通知された所定値以上である場合はＣＱＩフィードバック等の報告を送信しないようにする。一方、端末装置は、特定した指標が通知された所定値を下回る場合は、無線品質の測定に基づく報告を基地局装置へ送信する。
【００１６】
基地局装置は、ＲＳＲＰやＲＳＲＱ等の無線品質の指標に関する情報を各端末装置から受信して、その指標が所定値以上である端末装置を特定し、その特定した端末装置に対して、個別に上述のメッセージを送信しうる。この場合のメッセージは、その宛先の端末装置に対して測定結果に関する報告の送信を停止させるための指示を含む。なお、基地局装置は、例えば、測定結果に関する報告の送信とは別に、指標に関する情報を定期的に又は端末装置において特定の条件が満たされたことを契機に、取得することができてもよい。この場合、基地局装置は、報告の送信を停止中の端末装置から取得した指標が所定値を下回ったことに応じて、報告を再開させる指示を含んだメッセージをその端末装置に宛てて送信してもよい。端末装置は、基地局装置からのメッセージに含まれる情報が測定結果の報告の停止を指示するものである場合には、測定結果に関する報告の送信を停止する。一方、端末装置は、測定結果に関する報告を停止中に、基地局装置からのメッセージに含まれる情報が測定結果の報告の再開を指示するものである場合には、測定結果に関する報告の送信を再開する。なお、端末装置は、測定結果に関する報告を停止中であっても、指標の特定と指標に関する情報の基地局装置への送信については継続しうる。
【００１７】
以上のように、本実施形態では、基地局装置が、端末装置における指標が所定値以上であるか否かを判定してもよいし、端末装置が、自身における指標が所定値以上であるか否かを判定してもよい。いずれの場合であっても、基地局装置は、指標が所定値以上となる端末装置による測定結果の報告を停止させるためのメッセージを送信し、指標が所定値を下回る端末装置による測定結果の報告のみを受信するようにする。これにより、変調方式と符号化率との少なくともいずれかを制御する際に考慮されないほどに十分に高い無線品質を得られる端末装置は、測定結果に関する報告を送信しなくなる。この結果、上りリンクでの測定結果に関する報告の送信による無線リソースの浪費を防ぎ、複数の報告信号が互いに干渉することを防ぐことができる。例えば複数のＰＵＣＣＨが隣接セル間で互いに干渉することを防ぎ、ＰＵＣＣＨの品質の劣化を防ぐことができる。また、低い無線品質しか得られないと想定される端末装置は測定結果に関する報告を行うため、基地局装置は、グループ内の端末装置がマルチキャスト信号を正常に受信できるような変調方式と符号化率との少なくともいずれかの制御を行うことができる。
【００１８】
なお、一例において、報告を停止中の端末装置が基地局装置からのマルチキャスト信号を正常に受信してから所定期間が経過したか否かが判定され、所定期間が経過した場合に、その端末装置が、指標の値によらずに測定結果に関する報告を行うようにしてもよい。マルチキャスト信号が正常に受信されてから一定の期間が経過した場合、次のマルチキャスト信号が正常に受信されていない状態となっていると考えられるからである。このとき、基地局装置は、例えばマルチキャスト信号の送信先の端末装置からの確認応答信号を受信すること等によって、各端末装置がマルチキャスト信号を正常に受信したかを判定しうる。そして、基地局装置は、報告を停止中の端末装置が所定期間にわたってマルチキャスト信号を正常に受信していない場合（例えば確認応答信号を受信していない期間が所定期間に応じた期間に達した場合）に、その端末装置に、測定結果に関する報告を送信させうる。また、基地局装置は、所定期間の情報を端末装置に通知して、報告を停止中の端末装置は、マルチキャスト信号を正常に受信してからの経過時間を測定し、その経過時間が通知された所定期間に達した場合に、無線品質の測定に基づく報告を行うようにしてもよい。すなわち、マルチキャスト信号を正常に受信してからの経過時間が所定期間に達したか否かの判断は、基地局装置が行ってもよいし、端末装置が行ってもよい。
【００１９】
また、一例において、報告を停止中の端末装置の上述の指標の変化量が所定量を超えた場合に、その指標の値によらずに、その端末装置が測定に基づく報告を行うようにしてもよい。指標が大幅に変動した場合、測定に基づいて報告されるべき情報についても大幅に変化している場合がありうるからである。なお、ここでの変化量とは絶対値でありうる。すなわち、指標が改善した場合と劣化した場合とのいずれであっても、端末装置に測定に基づく報告を行わせてもよい。このとき、基地局装置は、例えば各端末装置から取得した指標の情報に基づいて、その指標の変化量が所定量を超えた端末装置に対して、測定に基づく報告を行うように指示するメッセージを送信しうる。また、基地局装置は、端末装置に対して所定量を示す情報を送信してもよい。この場合、報告を停止中の端末装置は、自身における上述の指標の変化量が、受信した所定量を超えるか否かを判定し、変化量が所定量を超えた場合に測定に基づく報告を行うようにしうる。すなわち、上述の指標の変化量が所定量を超えたか否かの判断は、基地局装置が行ってもよいし、端末装置が行ってもよい。
【００２０】
以下では、このような処理を行う基地局装置、及び端末装置の構成と、それらが実行する処理の流れについて、詳細に説明する。
【００２１】
（基地局装置及び端末装置のハードウェア構成）
図２に、基地局装置及び端末装置のハードウェア構成例を示す。基地局装置及び端末装置は、一例において、図２に示すようなハードウェア構成を有し、例えば、ＣＰＵ２０１、ＲＯＭ２０２、ＲＡＭ２０３、外部記憶装置２０４、及び通信装置２０５を有する。基地局装置及び端末装置では、例えばＲＯＭ２０２、ＲＡＭ２０３及び外部記憶装置２０４のいずれかに記録された、上述のような基地局装置及び端末装置の各機能を実現するプログラムがＣＰＵ２０１により実行される。なお、ＣＰＵ２０１は、ＡＳＩＣ（特定用途向け集積回路）、ＦＰＧＡ（フィールドプログラマブルゲートアレイ）、ＤＳＰ（デジタルシグナルプロセッサ）等の１つ以上のプロセッサによって置き換えられてもよい。
【００２２】
そして、基地局装置及び端末装置は、例えばＣＰＵ２０１により通信装置２０５を制御して、基地局装置と端末装置との間の通信を行う。なお、図２では、基地局装置及び端末装置は、１つの通信装置２０５を有するような概略図を示しているが、これに限られない。例えば、基地局装置は、基地局装置間の通信用の通信装置及び端末装置との間の通信装置を有してもよい。さらに、端末装置は、例えば、基地局装置との通信用の通信装置と端末間通信用の通信装置とを有しうる。
【００２３】
なお、基地局装置及び端末装置は、各機能を実行する専用のハードウェアを備えてもよいし、一部をハードウェアで実行し、プログラムを動作させるコンピュータでその他の部分を実行してもよい。また、全機能がコンピュータとプログラムにより実行されてもよい。
【００２４】
（基地局装置の機能構成）
図３に、基地局装置の機能構成例を示す。基地局装置は、例えば、無線通信部３０１、報告要否制御部３０２、報告取得部３０３、及び変調符号化制御部３０４を含んで構成される。
【００２５】
無線通信部３０１は、端末装置へ無線信号を送信し、端末装置からの無線信号を受信する。無線通信部３０１は、例えば、マルチキャスト信号のために無線リソースを割り当てて、その割り当てに従ってマルチキャスト信号を送信することができる。また、無線通信部３０１は、それぞれ異なりうる複数の端末装置を含んだ複数のグループに対して、それぞれ異なる又は同一の変調方式及び符号化率を用いてマルチキャスト信号を送信することができる。なお、無線通信部３０１は、各端末装置に対してユニキャスト信号を送信することもできるが、本実施形態ではその詳細についての説明は省略する。
【００２６】
報告要否制御部３０２は、マルチキャスト信号を受信する複数の端末装置のそれぞれが、その端末装置における無線品質の測定に基づく報告を行うべきか否かを決定するための制御を行う。すなわち、報告要否制御部３０２は、各端末装置の上述の指標が所定値以上である場合に報告を停止させるため、例えば、無線通信部３０１を介して、所定値の情報を端末装置へ送信し、又は、所定値以上の指標を有する端末装置に対して報告の停止を指示する。ここで、報告要否制御部３０２は、指標が所定値以上である状態が一定期間に達した端末装置についてのみ、報告を停止させるようにしてもよい。このとき、報告要否制御部３０２は、所定値の情報を端末装置へ送信する場合には、さらに、その一定期間を示す情報を端末装置へ通知してもよい。また、報告要否制御部３０２は、所定値以上の指標を有する端末装置に対して報告の停止を指示した後に、その端末装置の指標が所定値を下回る状態となった場合、その端末装置に報告の再開を指示してもよい。
【００２７】
なお、報告要否制御部３０２は、例えば、基地局装置が形成するセルの圏内に存在する、又はセル内でマルチキャスト信号を受信している端末装置のうち、指標値の低い方から、所定の割合の端末装置が報告を行うように、上述の所定値を決定しうる。例えば、対象となる端末装置の総数が１００台で、所定の割合が１０％である場合、指標値が低い方から１０台の端末装置が報告を行い、残りの指標値が高い方の９０台の端末装置は報告を行わないように、所定値が決定されうる。また、報告要否制御部３０２は、他の統計情報を用いて所定値を決定してもよい。例えば、指標値の平均値又はその平均値に所定の係数を乗じた値を所定値としてもよいし、さらに指標値の分散が考慮されて所定値が決定されてもよい。また、報告要否制御部３０２は、異なる情報をマルチキャスト信号として受信する異なるグループについて、それぞれのグループに対して別個に所定値を決定してもよい。なお、基地局装置は、指標値の程度に応じて端末装置をグルーピングして、それぞれのグループに適した変調方式及び符号化率を設定してマルチキャスト信号を送信するようにしてもよい。また、一例において、報告要否制御部３０２は、指標として利用可能なＲＳＲＰ、ＲＳＲＱ、ＳＩＮＲ、ＣＱＩ等の値のうち、いずれを上述の指標として用いるかを決定して端末装置に通知してもよい。なお、指標として用いる値があらかじめ定められている場合は、このような通知は行われなくてもよい。
【００２８】
また、報告要否制御部３０２は、例えば、マルチキャスト信号を正常に受信してから、その後にマルチキャスト信号を正常に受信しないまま所定期間が経過した端末装置に上述の報告を行わせるための制御を行う。例えば、報告要否制御部３０２は、マルチキャスト信号を受信している各端末装置に対して又はマルチキャスト信号を受信していると共に報告を停止している端末装置に対して、上述の所定期間を通知しうる。この場合、報告を停止中の端末装置が、自律的に、マルチキャスト信号を最後に受信したタイミングからの経過時間が所定期間に達したか否かを判定して、所定期間に達した場合に報告を行うようにする。また、報告要否制御部３０２は、マルチキャスト信号を受信していると共に報告を停止している端末装置がマルチキャスト信号を正常に受信した最後のタイミングから所定期間が経過したと判定した場合、報告を行うようにその端末装置に対して指示してもよい。この場合は、端末装置における判定は不要となる。
【００２９】
さらに、報告要否制御部３０２は、報告を停止中の端末装置の上述の指標値の変化量が所定量を超えた場合に、その端末装置に、上述の報告を実行させるための制御を行いうる。例えば、報告要否制御部３０２は、マルチキャスト信号を受信していると共に報告を停止している端末装置に対して、上述の所定量を端末装置へと通知する。この場合、報告を停止中の端末装置は、自身の指標値の変化量が所定量を超えたか否かを判定して、所定量を超えた場合に報告を行うようにする。また、報告要否制御部３０２は、マルチキャスト信号を受信していると共に報告を停止している端末装置から指標値の報告を定期的に受け付けておき、その指標値の変化量が所定量を超えた場合に、上述の報告を行わせるようにしてもよい。
【００３０】
なお、報告要否制御部３０２は、上述の端末装置における判定を行わせるための各種情報の通知についてはブロードキャスト（マルチキャスト）等によって複数の端末装置に一斉に報知してもよいし、個別のシグナリングで通知してもよい。一方、報告要否制御部３０２は、直接的に各端末装置の動作を指示するメッセージについては、端末装置に対する個別のシグナリングで送信する。
【００３１】
報告取得部３０３は、指標値が所定値を下回る端末装置から、上述の無線品質の測定に基づく報告を取得する。また、報告取得部３０３は、報告を停止中の端末装置のうち、報告を行う条件が満たされた端末装置からも、上述の無線品質の測定に基づく報告を取得しうる。変調符号化制御部３０４は、報告取得部３０３によって取得された報告に基づいて、無線通信部３０１が送信するマルチキャスト信号で用いるべき変調方式と符号化率との少なくともいずれかを制御する。例えば、変調符号化制御部３０４は、各グループに属する端末装置おいてマルチキャスト信号の受信に失敗する確率が所定確率以下となる変調方式と符号化率との組み合わせのうち、最も伝送効率のよい組み合わせを選択しうる。
【００３２】
（端末装置の機能構成）
図４に、端末装置の機能構成例を示す。端末装置は、例えば、無線通信部４０１、報告制御情報取得部４０２、及び報告制御部４０３を含んで構成される。
【００３３】
無線通信部４０１は、基地局装置へ無線信号を送信し、基地局装置からの無線信号を受信する。報告制御情報取得部４０２は、例えば、上述の、指標に関する所定値の情報又は報告の停止又は再開を指示するメッセージを、基地局装置から取得する。なお、報告制御情報取得部４０２は、報告を停止中に、報告を行う条件を示す上述の所定期間や所定量の情報を取得してもよいし、また、基地局装置からの報告を行わせるための指示を取得しうる。報告制御部４０３は、報告制御情報取得部４０２が取得した情報に基づいて、無線品質の測定に基づく報告を行うか否かを制御する。例えば、報告制御部４０３は、報告制御情報取得部４０２が基地局装置における判断結果に基づく指示を受信した場合は、その指示に従って報告の停止もしくは再開、又は停止中の臨時的な報告を行うように無線通信部４０１を制御する。一方、報告制御部４０３は、端末装置が報告を停止するか否かの判断を行うための判断基準となる情報（例えば上述の所定値、所定期間、所定量等）を報告制御情報取得部４０２が取得した場合、その情報に基づいて報告を行うか否かを判定する。なお、この判定は基地局装置が実行する判定と同様であるため、ここでの説明については省略する。
【００３４】
（処理の流れ）
続いて、上述のような基地局装置と端末装置が実行する処理の流れについて説明する。まず、基地局装置が指標に関する所定値を端末装置へ通知し、端末装置が、その所定値と自身が取得した指標とに基づいて、測定に基づく報告を基地局装置へ通知する場合の処理の流れの例について、図５を用いて説明する。
【００３５】
まず、基地局装置は、一部の端末装置に対して報告を行わせないようにするために、指標に関する所定値を決定する（Ｓ５０１）。例えば、基地局装置は、マルチキャスト信号を受信している端末装置のうち、概ね所定の割合の端末装置のみが報告を行うように所定値を決定する。基地局装置は、例えば、過去に取得した全端末装置に関する指標値を統計的に処理し、指標値の小さい方からの累積確率が上述の所定の割合に対応する値に達する指標値を、上述の所定値として特定する。なお、基地局装置は、現在マルチキャスト信号を受信している端末装置に関する指標値を取得して、その指標値が低い方から所定数の端末装置にのみ報告を行わせるように、所定値を決定してもよい。また、基地局装置は、例えばマルチキャスト信号で送信される情報の量に応じて、情報の量が少ないほど低くなるように、上述の所定値を決定してもよい。送信対象の情報の量が少ないほど、誤りに強い変調方式及び符号化率を用いることができ、より誤りに弱い変調方式及び符号化率を用いた場合と比べて、無線品質が低い端末装置であっても情報を正常に受信できるからである。したがって、基地局装置は、送信対象の情報の量が少ない場合は、指標値が十分に低い端末装置からのみ報告を受信するように、所定値を低く設定しうる。基地局装置は、例えばブロードキャスト信号によって複数の端末装置に対して一斉に、又は、端末装置ごとの制御信号によって個別に、決定した所定値の情報を、端末装置に通知する（Ｓ５０２）。なお、基地局装置は、例えば、マルチキャスト信号を受信する端末装置のグループごとに、そのマルチキャスト信号に所定値を含める等により、所定値の情報を通知してもよい。なお、これ以外にも、基地局装置が端末装置に所定値を通知することができる任意の方法によって、所定値が基地局装置から端末装置へと通知されうる。
【００３６】
端末装置は、所定値の情報を受信すると、その所定値と、自身における無線品質の指標値とを比較し、指標値が所定値より小さい場合（Ｓ５０３）は、測定に基づく報告を行う（Ｓ５０４）。一方、端末装置は、自身における指標値が所定値以上である場合（Ｓ５０５）は、測定に基づく報告を停止する（Ｓ５０６）。また、端末装置は、自身における指標値が所定値を再度下回った場合（Ｓ５０７）は、測定に基づく報告を再開する（Ｓ５０８、Ｓ５０９）。例えば、指標としてＲＳＲＰを用い、ＣＱＩフィードバックを行う場合、端末装置は、測定したＲＳＲＰが基地局装置から通知された所定値より小さいか否かを継続的に判定し、測定したＲＳＲＰが所定値より小さい場合に、ＣＱＩフィードバックを行う。一方、端末装置は、測定したＲＳＲＰが所定値以上である場合には、基地局装置からの指示を受けることなく、自律的にＣＱＩフィードバックを停止し、その後にＲＳＲＰが所定値を再度下回った場合にも自律的にＣＱＩフィードバックを再開する。なお、端末装置は、例えば測定した指標値が一定期間にわたって所定値以上であった場合に報告を停止し、その後に指標値が一定期間にわたって所定値を下回った場合に報告を再開してもよい。また、この場合に、報告の停止の判定に用いる第１の一定期間と、報告の再開の判定に用いる第２の一定期間とは、互いに異なっていてもよいし、同じであってもよい。また、例えば報告の再開と停止とのいずれか一方についてのみ、指標値が一定期間にわたって条件を満たすか否かの判定を行ってもよい。例えば、端末装置は、指標値が一定期間にわたって所定値以上であった場合に報告を停止し、指標値が所定値を下回った場合はすぐに報告を再開してもよい。また、端末装置は、指標値が所定値以上となった場合にすぐに報告を停止し、指標値が一定期間にわたって所定値を下回った場合に、報告を再開してもよい。
【００３７】
なお、基地局装置は、報告を停止中の端末装置がマルチキャスト信号を最後に正常受信してから所定期間が経過した場合に臨時的に測定に基づく報告を行わせるための、所定期間の情報を端末装置へと通知しうる。なお、この通知はＳ５０２において、又は他のタイミングで行われうる。端末装置は、自身が報告を停止した後、マルチキャスト信号を受信すると、その受信タイミングからの経過時間を計測する。なお、端末装置は、マルチキャスト信号を受信する度に計測した時間をリセットし、最後にマルチキャスト信号を受信してからの経過時間を計測する。そして、端末装置は、この計測した経過時間が通知された所定期間に達した場合に、自身における指標が所定値以上であっても、測定に基づく報告を行う。これにより、例えば報告を停止中の端末装置において、指標値が更新されない間に無線品質が劣化してマルチキャスト信号を受信できなくなった場合等に、その端末装置は、基地局装置に対して測定に基づく報告を行うことができる。そして、基地局装置は、この報告に従って、変調方式と符号化率との少なくともいずれかを適切に制御することができる。
【００３８】
また、基地局装置は、報告を停止中の端末装置における指標値の変化量が所定量を超えた場合に臨時的に測定に基づく報告をその端末装置に行わせるための、所定量の情報を端末装置へと通知しうる。なお、この通知はＳ５０２において、又は他のタイミングで行われうる。端末装置は、自身が報告を停止した後も指標値を継続的に取得してその指標値の変化量を特定し、特定した変化量が通知された所定量を超える場合に、指標が所定値以上であっても、測定に基づく報告を行う。これにより、基地局装置が、例えば報告を停止中の端末装置において無線品質がどの程度になっているかを知ることができる。そして、基地局装置は、この報告に従って、変調方式と符号化率との少なくともいずれかを適切に制御することができる。また、基地局装置は、例えば指標値に関する所定値を適切な値に設定しなおすことも可能となる。
【００３９】
次に、基地局装置が、端末装置から取得した指標値が所定値以上である場合に端末装置に測定に基づく報告を停止させるためのメッセージを送信し、端末装置が、そのメッセージに従って報告を停止する場合の処理の流れの例について、図６を用いて説明する。まず、基地局装置は、指標に関する所定値を決定する（Ｓ６０１）。この処理は、上述のＳ５０１の処理と同様である。
【００４０】
基地局装置は、例えば定期的に又は特定の条件が満たされた場合に端末装置から送信された指標に関する情報を受信する（Ｓ６０２）。なお、指標に関する情報は、指標値または指標値が属する数値範囲を特定することを可能とする情報でありうる。基地局装置は、受信した情報に従って端末装置に関する指標値を特定し、特定した指標値が所定値より小さい場合（Ｓ６０３）は特に何もせず、その一方で、端末装置は測定に基づく報告を行う（Ｓ６０４）。一方、基地局装置は、特定した指標値が所定値以上である場合（Ｓ６０５）は、測定に基づく報告を停止させるための指示を含んだメッセージを端末装置へ送信する（Ｓ６０６）。端末装置は、このメッセージを受信したことに応じて、測定に基づく報告を停止する。また、基地局装置は、報告を停止中の端末装置における指標値が所定値を再度下回った場合（Ｓ６０７）は、測定に基づく報告を再開させるための指示を含んだメッセージを端末装置へ送信する（Ｓ６０８）。そして、端末装置は、このメッセージを受信したことに応じて、測定に基づく報告を再開する（Ｓ６０９）。なお、これらのメッセージは、個別の端末装置に宛てられた制御信号でありうる。このように、本処理例では、端末装置は、基地局装置からの指示に応じて報告を停止又は再開する。例えば、指標としてＲＳＲＰを用い、ＣＱＩフィードバックを行う場合、基地局装置は、端末装置から取得したＲＳＲＰが、自身が決定した所定値より小さいか否かを継続的に判定する。そして、基地局装置は、取得したＲＳＲＰが所定値以上である場合に、ＣＱＩフィードバックを停止させるための指示を含んだメッセージを端末装置へ送信し、端末装置はＣＱＩフィードバックを停止する。一方、基地局装置は、ＣＱＩフィードバックを停止中の端末装置から取得したＲＳＲＰが所定値を下回った場合、ＣＱＩフィードバックを再開させるための指示を含んだメッセージを端末装置へ送信し、端末装置はＣＱＩフィードバックを再開する。なお、基地局装置は、例えば通知された指標値が一定期間にわたって所定値以上であった場合に報告を停止させ、その後に指標値が一定期間にわたって所定値を下回った場合に報告を再開させるための指示を含んだメッセージを送信してもよい。また、この場合に、報告の停止の判定に用いる第１の一定期間と、報告の再開の判定に用いる第２の一定期間とは、互いに異なっていてもよいし、同じであってもよい。また、例えば報告の再開と停止とのいずれか一方についてのみ、指標値が一定期間にわたって条件を満たすか否かの判定を行ってもよい。
【００４１】
なお、基地局装置は、報告を停止中の端末装置がマルチキャスト信号を最後に正常受信してから所定期間が経過した場合に臨時的に測定に基づく報告を行わせるための指示を含んだメッセージを端末装置へと送信しうる。基地局装置は、例えば、報告を停止した端末装置からマルチキャスト信号に対する確認応答を受信する等、端末装置においてマルチキャスト信号の受信に成功したことを認識すると、そのタイミングからの経過時間を計測する。なお、基地局装置は、端末装置におけるマルチキャスト信号の受信成功を認識する度に計測した時間をリセットし、端末装置が最後にマルチキャスト信号を受信してからの経過時間を計測する。そして、基地局装置は、この計測した経過時間が所定期間に達した場合に、通知された指標が所定値以上であっても、その端末装置に対して、測定に基づく報告を行わせるための指示を含んだメッセージを送信する。これにより、例えば報告を停止中の端末装置において、指標値が更新されない間に無線品質が劣化してマルチキャスト信号を受信できなくなった場合等に、その端末装置に、基地局装置に対して測定に基づく報告を行わせることができる。そして、基地局装置は、この報告に従って、変調方式と符号化率との少なくともいずれかを適切に制御することができる。
【００４２】
また、基地局装置は、報告を停止中の端末装置における指標値の変化量が所定量を超えた場合に臨時的に測定に基づく報告をその端末装置に行わせるための指示を含んだメッセージを端末装置へと通知しうる。基地局装置は、報告を停止中の端末装置からの指標値の通知を継続的に受け付けてその指標値の変化量を特定する。そして、基地局装置は、特定した変化量が所定量を超える場合に、指標が所定値以上であっても、その端末装置に対して、測定に基づく報告を行わせるための指示を含んだメッセージを送信する。これにより、基地局装置は、例えば報告を停止中の端末装置において無線品質がどの程度になっているかを知ることができ、この報告に従って、変調方式と符号化率との少なくともいずれかを適切に制御することができる。また、基地局装置は、例えば指標値に関する所定値を適切な値に設定しなおすことも可能となる。
【００４３】
なお、図５の例において、例えば上述の経過時間又は指標値の変化量に基づいて端末装置に臨時的に報告を行わせる場合に、基地局装置が臨時的に報告を行わせるためのメッセージを端末装置に対して送信してもよい。また、図６の例において、例えば上述の経過時間又は指標値の変化量に基づいて端末装置に臨時的に報告を行わせる場合に、基地局装置は、上述の所定期間又は所定量を示す情報を端末装置に対して送信してもよい。
【００４４】
以上のようにして、マルチキャスト信号を受信する端末装置の一部に、測定に基づく報告を行わせないことができ、上りリンクにおけるリソースの浪費や、複数の報告信号が互いに干渉することを防ぐことができる。また、このとき、無線品質の状態が良好であると考えられる端末装置に報告を停止させることにより、基地局装置が変調方式と符号化率との少なくともいずれかを適切に選択することができる。このように、本実施形態によれば、マルチキャスト信号の変調方式と符号化率とを適切に制御しながら、そのマルチキャスト信号の受信対象の端末装置によるフィードバックの信号量を低減することができる。
【００４５】
以上、本実施形態に係る代表的な構成及び処理の流れについて説明したが、これらは一例にすぎず、特許請求の範囲に記載された範囲での、本明細書に記載された実施形態に対する様々な変形及び変更も、本発明の権利範囲内に当然に含まれるものである。
【図１】
2018082264.tif 000003
【図２】
2018082264.tif 000004
【図３】
2018082264.tif 000005
【図４】
2018082264.tif 000006
【図５】
2018082264.tif 000007
【図６】
2018082264.tif 000008